(57)【要約】【課題】ＤＶＤ−Ｒなど高密度での光情報を高速で記録可能とし、蛇行型のランドプレピット２１の形状を最適化し、レーザー光９のランドプレピット２１での回折をより明確化し、良好なランドプレピット信号を得て、記録ピットのＲＦ読み取りエラーおよびランドプレピット２１の読み取りエラーを同時に低減させることができるようにした光情報記録媒体を提供すること。【解決手段】ランドプレピット８の弧状内側における半径方向の内側突出長さをＲin、外側突出長さをＲoutとしたときに、０．１２０μｍ≦Ｒin≦０．１８２μｍ、および、０．１００μｍ≦Ｒout≦０．２５０μｍ、とすること、などを特徴とする。【選択図】図１０
2008305555.tif 000002
【特許請求の範囲】
【請求項１】
透光性を有するとともにプリグルーブおよびこのプリグルーブの左右に位置するランドの部分にランドプレピットを形成した基板と、
この基板上に設けるとともに、記録光による記録が可能な光記録層と、
この光記録層上に設けるとともに、前記記録光を反射する光反射層と、を有し、
前記基板を通して前記光記録層に前記記録光を照射することにより光学的に読み取り可能な情報を記録する光情報記録媒体であって、
前記ランドプレピットは、前記プリグルーブに連続しかつ前記基板の半径方向に弧状にこれを突出させて、
その弧状内側における半径方向の内側突出長さをＲinとし、
その弧状外側における半径方向の外側突出長さをＲoutとし、
０．１２０μｍ≦Ｒin≦０．１８２μｍ、
０．１００μｍ≦Ｒout≦０．２５０μｍ、および、
Ｒin≦−０．４１３×Ｒout＋０．２２３、
とすることを特徴とする光情報記録媒体。
【請求項２】
前記Ｒin、および前記Ｒoutについて、
０．１４０μｍ≦Ｒin≦０．１７３μｍ、
０．１００μｍ≦Ｒout≦０．１９２μｍ、および、
Ｒin≦−０．３５９×Ｒout＋０．２０９、
とすることを特徴とする請求項１記載の光情報記録媒体。
【請求項３】
前記Ｒin、および前記Ｒoutについて、
Ｒin≦Ｒout、
とすることを特徴とする請求項１あるいは２記載の光情報記録媒体。
【請求項４】
前記Ｒin、および前記Ｒoutについて、
０．１４０μｍ≦Ｒin≦０．１５６μｍ、
０．１５６μｍ≦Ｒout≦０．１９２μｍ、および、
Ｒin≦−０．４４４×Ｒout＋０．２２５、
とすることを特徴とする請求項１記載の光情報記録媒体。
【請求項５】
前記Ｒin、および前記Ｒoutについて、
０．１２０μｍ≦Ｒin≦０．１３０μｍ、
０．１８０μｍ≦Ｒout≦０．２４４μｍ、および、
Ｒin≦−０．１５６×Ｒout＋０．１５８、
とすることを特徴とする請求項１記載の光情報記録媒体。
【請求項６】
前記記録光の波長をλとしたときに、
前記プリグルーブにおける未記録状態の光学深さが、
λ／８〜λ／５、
であることを特徴とする請求項１記載の光情報記録媒体。
【請求項７】
前記光記録層は、前記記録光を吸収可能な光吸収物質を含むことを特徴とする請求項１記載の光情報記録媒体。
【発明の詳細な説明】
【技術分野】
【０００１】
本発明は光情報記録媒体にかかるもので、とくに透光性の基板上に少なくとも光吸収物質などを含む光記録層および金属膜などによる光反射層を有し、たとえば波長が６３０〜６７０ｎｍの短波長赤色レーザー光、あるいは波長が４００〜４１０ｎｍの青色レーザー光により高密度かつ高速で書き込みおよび再生が可能な光情報記録媒体に関するものである。
【背景技術】
【０００２】
従来の一般的な光情報記録媒体である記録可能なＣＤ−Ｒ（Ｃｏｍｐａｃｔ  Ｄｉｓｃ  Ｗｒｉｔａｂｌｅ）より高密度に光情報を記録可能なＤＶＤ−Ｒ（Ｄｉｇｉｔａｌ  Ｖｅｒｓａｔｉｌｅ（あるいはＶｉｄｅｏ）  Ｄｉｓｃ  Ｗｒｉｔａｂｌｅ）ではＣＤ−Ｒとは異なる規格が定められている。
たとえば、光学ピックアップには、波長が６３０〜６７０ｎｍの短波長赤色レーザー光を用いること、開口率ＮＡが０．６〜０．６５という高開口率の対物レンズを用いること、などである。
【０００３】
従来、記録可能なＣＤーＲでは、ラセン状のプリグルーブをトラッキングガイドとしてこれをウォブル（蛇行）させ、その蛇行をＦＭ変調し、ＡＴＩＰ（Ａｂｓｏｌｕｔｅ  Ｔｉｍｅ  Ｉｎ  Ｐｒｅｇｒｏｏｖｅ）と呼ばれる位置情報などのアドレス情報を得ている。
一方ＤＶＤ−Ｒでは、上記ＡＴＩＰに代えて、ウォブルの形成とともに、プリグルーブの間のランドにランドプレピットを形成し、これらにより光情報記録媒体上におけるアドレス情報をはじめとするセクター情報を得ている。
【０００４】
こうしたランドプレピットを形成した光情報記録媒体に情報ピット（記録ピット）を記録し、これを再生する際に、上記光学ピックアップは、この情報ピットおよびランドプレピットをともに読み込むことになり、情報ピットおよびランドプレピットの相対的位置関係によっては、読取り信号にエラーが発生し、再生が不安定になるという問題がある。
【０００５】
図１５ないし図２４にもとづき、従来のランドプレピット付き光情報記録媒体について概説する。
図１５は、従来の光情報記録媒体１の要部拡大平面図ならびにそのＲＦ信号およびランドプレピット信号のグラフ、図１６は、図１５のＸＶＩ−ＸＶＩ線断面図、図１７は、図１５のＸＶＩＩ−ＸＶＩＩ線断面図、図１８は、図１５のＸＶＩＩＩ−ＸＶＩＩＩ線断面図である。
光情報記録媒体１は、透光性の基板２と、この基板２上に形成した光吸収層３（光記録層）と、この光吸収層３の上に形成した光反射層４と、この光反射層４の上に形成した保護層５と、を有する。
上記基板２にはスパイラル状にプリグルーブ６を形成してある。このプリグルーブ６の左右には、このプリグルーブ６以外の部分すなわちランド７が位置している。ランド７には、ランドプレピット８を所定周期で形成しアドレス情報その他のセクター情報を記録してある。
【０００６】
図１８に示すように、光情報記録媒体１にレーザー光９（記録光、図１５の円形スポット９Ｓ）を照射したときに、光吸収層３がこのレーザー光９のエネルギーを吸収することにより発熱し、基板２側に熱変質が生じて記録ピット１０が形成される。
なお、図１５は、光情報記録媒体１の光反射層４および保護層５を取り除いてプリグルーブ６、ランド７、ランドプレピット８および記録ピット１０について主に描いてある。
【０００７】
さらに、プリグルーブ６には、図１５、図１６、図１７、図１８に示す光情報記録媒体１の円周方向に沿って、うねり（ウォブル６Ｗ）を形成することにより、光情報記録媒体１の回転と情報記録および読取りとの同期を取るとともに、記録時のトラッキング作用を確保している。
【０００８】
なお、基板２と光吸収層３とは、第１の層界１１により互いに接している。
光吸収層３と光反射層４とは、第２の層界１２により接している。
光反射層４と保護層５とは、第３の層界１３により接している。
【０００９】
透光性の基板２は、レーザー光に対する屈折率がたとえば１．４〜１．６程度の範囲内の透明度の高い材料で、耐衝撃性に優れた主として樹脂により形成したもの、たとえばポリカーボネート、ガラス板、アクリル板、エポキシ板等を用いる。
【００１０】
光吸収層３は、基板２の上に形成した光吸収性の物質（光吸収物質）からなる層で、レーザー光９を照射することにより、発熱、溶融、昇華、変形または変性をともなう層である。この光吸収層３はたとえば溶剤により溶解したシアニン系色素等を、スピンコート法等の手段により、基板２の表面に一様にコーティングすることによってこれを形成する。
光吸収層３に用いる材料は、任意の光記録材料を採用することができるが、光吸収性の有機色素が望ましい。
【００１１】
光反射層４は、金属膜であり、たとえば、金、銀、銅、アルミニウム、あるいはこれらを含む合金を、蒸着法、スパッタ法等の手段によりこれを形成する。
【００１２】
保護層５は、基板２と同様の耐衝撃性に優れた樹脂によりこれを形成する。たとえば、紫外線硬化樹脂をスピンコート法により塗布し、これに紫外線を照射して硬化させることによりこれを形成する。
【００１３】
図１５のグラフに示すように、レーザー光９を再生光として照射したときに、ランドプレピット８が隣合っていない記録ピット１０のＲＦ信号（図中左側）は、適正なレベルでこれを得ることができる。また、記録ピット１０が隣合っていないランドプレピット８のランドプレピット信号（図中中央）も適正なレベルでこれを得ることができる。
しかしながら、とくにランドプレピット８と記録ピット１０とが光情報記録媒体１の半径方向において互いに隣合っている場合には、ランドプレピット信号のレベルおよびＲＦ信号のレベルがともに低下あるいは上昇するという問題がある（図１５中右側）。
【００１４】
具体的に、ランドプレピット信号としては、信号振幅が低下し、そのＡＲ（Ａｐｅｒｔｕｒｅ  Ｒａｔｉｏ：振幅低下率指標）が低下する。なお、ＡＲは、記録ピット１０がない部分におけるランドプレピット信号に対する最長記録ピット１０がある部分のランドプレピット信号の割合（％）であり、ＤＶＤ−Ｒの規格では、ＡＲが１５％以上であることが要請されている。
また、ＲＦ信号の信号変動は、そのＲＦ読み取りエラーにつながり、ＤＶＤ−Ｒ規格では、ＲＦ信号の信号変動に関する判断の目安としてこのＲＦ読み取りエラーが２５０未満であることが要請されている。
【００１５】
上述の諸問題は、図１９に示したランドプレピット８が円形型の場合および図２０に示したランドプレピット８が蛇行型の場合ともに発生するものである。
図２１は、円形型のランドプレピット８の場合のＲＦ信号の変動量に対するＲＦ読み取りエラーの関係を示すグラフ、図２２は、蛇行型のランドプレピット８の場合のＲＦ信号の変動量に対するＲＦ読み取りエラーの関係を示すグラフである。
図示のように、円形型のランドプレピット８に比べて蛇行型のランドプレピット８は、ＲＦ信号変動量に対するエラー発生までのマージンが狭く、光学ピックアップの各種態様ないしそのスポットの仕様、さらには角度変動、焦点変動、トラック追従変動など高速時にとくに発生しやすい外乱に対して、その最適設計範囲をとくにきびしく設定する必要がある。
また、蛇行型のランドプレピット８については、その蛇行の弧状部分における内側および外側の弧状の程度ないし突出長さ、あるいは弧状端部の間の距離などは、内側および外側について適正な組み合わせを設定することが困難であるという問題がある。
【００１６】
ＲＦ信号の変動量は、変動がない場合（記録ピット１０に隣接するランドプレピット８がない場合）のレベル値に対する（記録ピット１０に隣接するランドプレピット８がある場合）その変動量の割合（％）であり、ＲＦ読み取りエラーが２５０未満であるためには、図２２から、蛇行型のランドプレピット８についてＲＦ信号変動量は、少なくとも１％（絶対値として１％）程度以下である必要がある。
【００１７】
上述のように、ＲＦ読み取りエラーを低減させつつ、ランドプレピット８の読み取りエラーを同時に低減させるための最適化設計条件が、とくに蛇行型のランドプレピット８について必要となり、ＲＦ信号変動量を１％未満まで安定させるとともに、ランドプレピット８のＡＲ（振幅低下率指標）を１５％以上に維持する必要がある。
【００１８】
一方、とくに円形型のランドプレピット８を形成した光情報記録媒体１の場合には、光吸収層３における光学深さによってそのＲＦ信号が変動し、しかもこの変動の程度が比較的大きいという問題がある。
図２３は、図１５と同様の光情報記録媒体１のＲＦ信号およびランドプレピット信号のグラフであって、未記録光学深さがλ／５．８程度の場合のＲＦ信号（とくに記録ピット１０として一番短い３Ｔピットの信号、Ｔは記録ピットの長さを表すための基本長さであって、Ｔ＝０．１３４μｍ）およびランドプレピット信号のグラフである。
図２４は、同、未記録光学深さがλ／６．２程度の場合のＲＦ信号（同、３Ｔピットの信号）およびランドプレピット信号のグラフである。ただし、λはレーザー光９の波長である。
【００１９】
図２３に示すように、未記録光学深さがλ／５．８程度の場合には、記録ピット１０が単独に位置する図中左側のグラフに比較して、記録ピット１０およびランドプレピット８が隣合っている図中右側のグラフのように、ＲＦ信号へのランドプレピット信号の影響はほとんどなく、ＲＦ信号の変動量がわずかである。
しかして図２４に示すように、未記録光学深さがλ／６．２程度の場合には、記録ピット１０とランドプレピット８とが隣合う場合には、ＲＦ信号はランドプレピット信号の影響を受け、ＲＦ信号としての信号振幅の変動量が増加するという問題がある。
【００２０】
未記録光学深さは、プリグルーブ６の深さ、ランド７上の色素の厚さ、プリグルーブ６内の色素の厚さ、色素および基板２の屈折率ｎなどからも算出が可能であるが、図２３および図２４のグラフから、円形型のランドプレピット８の場合にはＲＦ信号の変動の程度がプリグルーブ６の深さおよび成膜状態の色素の厚さなどに大きく依存することがわかる。
一方、本発明者が見いだしたところによれば、蛇行型のランドプレピット８は、円形型のランドプレピット８に比較して未記録光学深さの相違にそれほど影響されることなく、成膜の状態次第で、ＲＦ信号に大きな影響を与えることなく、最適化が可能である。
【００２１】
さらに、蛇行型のランドプレピット８を採用した場合、レーザー光９が何らかの外乱により光情報記録媒体１（ディスク）の中心方向にずれた（デトラックした）ときに、蛇行型のランドプレピット８が一般的にはディスクの半径方向外方に弧状に突出しているので、ランドプレピット８と記録ピット１０とが重なった状態では、記録ピット１０の一部にランドプレピット８が食い込んでこの形状および大きさに影響を与えるので、記録ピット１０が必要な大きさを得ることができずに、良好なＲＦ信号を得ることが困難であるという問題がある。
【００２２】
【特許文献１】特開平９−１７０２９号公報
【特許文献２】特開平９−３２６１３８号公報
【特許文献３】特開２０００−４０２６１号公報
【発明の開示】
【発明が解決しようとする課題】
【００２３】
本発明は以上のような諸問題にかんがみなされたもので、とくにＤＶＤ−Ｒなど高密度での光情報を記録可能とした光情報記録媒体を提供することを課題とする。
【００２４】
また本発明は、蛇行型のランドプレピットについてその形状を最適化し、光情報記録媒体上におけるアドレス情報をはじめとするセクター情報を適正に得ることができる光情報記録媒体を提供することを課題とする。
【００２５】
また本発明は、記録ピットのＲＦ読み取りエラーを低減させつつ、ランドプレピットの読み取りエラーを同時に低減させるための最適化設計条件を設定した光情報記録媒体を提供することを課題とする。
【００２６】
また本発明は、とくに蛇行型のランドプレピットについて、ＲＦ信号変動量を１％程度まで安定させるとともに、ランドプレピットのＡＲ（振幅低下率指標）を１５％以上に維持することができる光情報記録媒体を提供することを課題とする。
【００２７】
また本発明は、とくに従来の線速度（３．５ｍ／ｓｅｃ）に対して、たとえば４倍以上の高速で記録を行う場合にも、ＲＦ信号変動量を１％程度まで安定させるとともに、ランドプレピットのＡＲ（振幅低下率指標）を１５％以上に維持することができる光情報記録媒体を提供することを課題とする。
【００２８】
また本発明は、レーザー光によるスポットのエネルギー分布に対して最適な相対位置関係でランドプレピットの形状ないし大きさを設計することにより、その信号を得ることができるようにした光情報記録媒体を提供することを課題とする。
【００２９】
また本発明は、レーザー光のランドプレピット部分での回折をより明確化し、良好なランドプレピット信号を得ることができるようにした光情報記録媒体を提供することを課題とする。
【００３０】
また本発明は、未記録光学深さの相違にそれほど影響されることなく、成膜の状態次第で、ＲＦ信号に大きな影響を与えることなく、ランドプレピット信号の最適化が可能であるようにした光情報記録媒体を提供することを課題とする。
【００３１】
また本発明は、レーザー光により書き込まれる記録ピットとの最適な相対大きさ関係でランドプレピットの形状ないし大きさを設計することにより、記録ピットおよびランドプレピットともにその信号を適正に得ることができるようにした光情報記録媒体を提供することを課題とする。
【００３２】
また本発明は、レーザー光が光情報記録媒体（ディスク）の中心方向にずれた（デトラックした）ときにも、記録ピットに与える影響を少なくして、必要なＲＦ信号を得ることができるようにした光情報記録媒体を提供することを課題とする。
【００３３】
また本発明は、ランドプレピットの走査方向における長さを適正にすることにより、その信号を得ることができるようにした光情報記録媒体を提供することを課題とする。
【課題を解決するための手段】
【００３４】
すなわち、本発明（第一の発明）は、蛇行型のランドプレピットの形状ないし大きさについてその内側突出部および外側突出部とレーザー光によるスポットとの相対的な大きさを最適化することに着目したもので、透光性を有するとともにプリグルーブおよびこのプリグルーブの左右に位置するランドの部分にランドプレピットを形成した基板と、この基板上に設けるとともに、記録光による記録が可能な光記録層と、この光記録層上に設けるとともに、上記記録光を反射する光反射層と、を有し、上記基板を通して上記光記録層に上記記録光を照射することにより光学的に読み取り可能な情報を記録する光情報記録媒体であって、上記ランドプレピットは、上記プリグルーブに連続しかつ上記基板の半径方向にこれを突出させるとともに、ｅを自然対数の底としたときに、上記記録光によるスポットのエネルギー正規分布の１／ｅ2の部分におけるスポット径の範囲内に、上記ランドプレピットの内側突出部における内側端部および外側突出部における外側端部を位置させることを特徴とする光情報記録媒体である。
【００３５】
上記ランドプレピットの上記内側端部および上記外側端部を、上記記録光による上記スポットの中心位置に向かって収斂するように位置させることができる。したがって、蛇行型のランドプレピットの形状自体は、ほぼ三角形状に近い形状となってもよい。
【００３６】
上記ランドプレピットについて、上記内側突出部におけるふたつの上記内側端部の間の距離をＬin、上記外側突出部におけるふたつの上記外側端部の間の距離をＬout、としたときに、これらの距離ＬinおよびＬoutを、上記記録光による上記スポットの上記エネルギー正規分布の１／ｅ2の部分における上記スポット径より小さくすることができる。
【００３７】
上記ランドプレピットについて、上記内側端部および上記外側端部とともに、上記内側突出部における内側最突出端部、上記外側突出部における外側最突出端部を、上記記録光による上記スポットの上記エネルギー正規分布の１／ｅ2の部分における上記スポット径の範囲内に位置させることができる。
【００３８】
上記記録光による上記スポットの上記エネルギー正規分布の１／ｅの部分におけるスポット径の範囲内に、上記ランドプレピットの上記内側端部および上記外側端部を位置させることができる。
【００３９】
上記ランドプレピットの全体が上記スポットの中心位置に向かって収斂するように位置させる結果として、一般には弧状に突出する蛇行型のランドプレピットの形状自体は、ほぼ三角形状に近い形状となってもよい。もちろん、上記ランドプレピットは、三角形状、弧状、あるいは台形状など任意の形状とすることができる。
【００４０】
本発明（第一の発明）による光情報記録媒体においては、ｅを自然対数の底（約２．７２）としたときに、レーザー光によるスポットのエネルギー正規分布の１／ｅ2の部分におけるスポット径の範囲内に、ランドプレピットの内側突出部における内側端部および外側突出部における外側端部を位置させるようにしたので、ランドプレピットに照射されるレーザー光の回折状態がランドプレピットの内側および外側で良好なものとなり、このレーザー光によってランドプレピット信号をより明確に得ることが可能となり、ランドプレピットの近傍に記録ピットが存在する場合にもＲＦ信号への影響もこれを小さくすることができる。
さらに、未記録光学深さの相違にそれほど影響されることなく、成膜の状態次第で、ＲＦ信号に大きな影響を与えずに、ランドプレピット信号の最適化が可能である。
かくして、再生時のＲＦ変動量を１％程度まで安定させるとともに、ランドプレピットのＡＲを１５％以上に維持し、ＲＦ信号およびランドプレピットについての読み取りエラーを回避し、高密度かつ高速のＤＶＤ−Ｒであっても必要なセクター情報などを安定して得ることができる。
【００４１】
つぎに、本発明（第二の発明）は、蛇行型のランドプレピットの形状ないし大きさについてその内側突出部および外側突出部と記録ピットとの相対的な大きさを最適化することに着目したもので、透光性を有するとともにプリグルーブおよびこのプリグルーブの左右に位置するランドの部分にランドプレピットを形成した基板と、この基板上に設けるとともに、記録光による記録ピットの記録が可能な光記録層と、この光記録層上に設けるとともに、上記記録光を反射する光反射層と、を有し、上記基板を通して上記光記録層に上記記録光を照射することにより光学的に読み取り可能な情報を記録する光情報記録媒体であって、上記ランドプレピットは、上記プリグルーブに連続しかつ上記基板の半径方向にこれを突出させるとともに、上記ランドプレピットの内側突出部におけるふたつの内側端部の間の距離をＬin、とし、上記ランドプレピットの外側突出部におけるふたつの外側端部の間の距離をＬout、とし、上記記録ピットの長さを表すための基本長さをＴ、としたときに、これらの距離Ｌin、Ｌoutが、３Ｔ〜６Ｔの範囲にあることを特徴とする光情報記録媒体である。
【００４２】
上記距離Ｌin、Ｌoutが、３．３６Ｔ〜５．２２Ｔの範囲にあることができる。
【００４３】
上記距離Ｌinが、３Ｔ〜４Ｔの範囲にあることができる。
【００４４】
上記距離Ｌinが、３．３６Ｔ〜３．７３Ｔの範囲にあることができる。
【００４５】
上記距離Ｌoutが、４Ｔ〜６Ｔの範囲にあることができる。
【００４６】
上記距離Ｌoutが、４．８５Ｔ〜５．２２Ｔの範囲にあることができる。
【００４７】
上記ランドプレピットは、三角形状、弧状、あるいは台形状など任意の形状とすることができる。
【００４８】
本発明（第二の発明）による光情報記録媒体においては、ランドプレピットの内側突出部におけるふたつの内側端部の間の距離Ｌin、ランドプレピットの外側突出部におけるふたつの外側端部の間の距離Ｌoutが、３Ｔ〜６Ｔの範囲にあるようにしたので、３Ｔ、４Ｔ、．．．、１０Ｔ、１１Ｔ、１４Ｔという十種類の長さを有する記録ピットとランドプレピットとが重なり合うような状態になっても、記録ピットの形状ないし大きさに致命的な影響を与えることなく、ＲＦ信号を適正に得ることができるとともに、ランドプレピット信号についても読み取りエラーを減少することができる。
【００４９】
つぎに、本発明（第三の発明）は、ランドプレピットについて、その内側突出部におけるふたつの内側端部の間の距離Ｌin、その外側突出部におけるふたつの外側端部の間の距離Ｌoutについて適正な範囲の長さとすることに着目したもので、透光性を有するとともにプリグルーブおよびこのプリグルーブの左右に位置するランドの部分にランドプレピットを形成した基板と、この基板上に設けるとともに、記録光による記録が可能な光記録層と、この光記録層上に設けるとともに、上記記録光を反射する光反射層と、を有し、上記基板を通して上記光記録層に上記記録光を照射することにより光学的に読み取り可能な情報を記録する光情報記録媒体であって、上記ランドプレピットのふたつの内側端部の間の距離をＬinとし、上記ランドプレピットのふたつの外側端部の間の距離をＬoutとしたときに、０．４０μｍ≦Ｌin≦０．８０μｍ、０．４０μｍ≦Ｌout≦０．８０μｍ、とすることを特徴とする光情報記録媒体である。
【００５０】
上記距離Ｌin、Ｌoutについて、０．４５μｍ≦Ｌin≦０．５０μｍ、０．６５μｍ≦Ｌout≦０．７０μｍ、とすることができる。
【００５１】
上記ランドプレピットは、これを蛇行状に形成することができる。
上記ランドプレピットについて、その距離Ｌin、Ｌoutが上記範囲内にあればよいもので、一般には弧状に突出する蛇行状ないし蛇行型のランドプレピットの形状自体は、ほぼ三角形状に近い形状となってもよい。もちろん、上記ランドプレピットは、三角形状、弧状、あるいは台形状など任意の形状とすることができる。
【００５２】
本発明（第三の発明）による光情報記録媒体においては、距離Ｌin、Ｌoutについて、０．４０μｍ≦Ｌin≦０．８０μｍ、および０．４０μｍ≦Ｌout≦０．８０μｍ、という条件を設定したので、ランドプレピットに照射されるレーザー光の回折状態がランドプレピットの内側および外側で良好なものとなり、このレーザー光によってランドプレピット信号をより明確に得ることが可能となり、ランドプレピットの近傍に記録ピットが存在する場合にもＲＦ信号への影響もこれを小さくすることができる。
さらに、未記録光学深さの相違にそれほど影響されることなく、成膜の状態次第で、ＲＦ信号に大きな影響を与えずに、ランドプレピット信号の最適化が可能である。
かくして、再生時のＲＦ変動量を１％程度まで安定させるとともに、ランドプレピットのＡＲを１５％以上に維持し、ＲＦ信号およびランドプレピットについての読み取りエラーを回避し、高密度かつ高速のＤＶＤ−Ｒであっても必要なセクター情報などを安定して得ることができる。
【００５３】
つぎに、本発明（第四の発明）は、とくに蛇行型のランドプレピットについて、その弧状の形状についてその弧状内側におけるディスクの半径方向の内側突出長さ、およびその弧状外側における半径方向の外側突出長さをともに適正な値に設計することに着目したもので、透光性を有するとともにプリグルーブおよびこのプリグルーブの左右に位置するランドの部分にランドプレピットを形成した基板と、この基板上に設けるとともに、記録光による記録が可能な光記録層と、この光記録層上に設けるとともに、上記記録光を反射する光反射層と、を有し、上記基板を通して上記光記録層に上記記録光を照射することにより光学的に読み取り可能な情報を記録する光情報記録媒体であって、上記ランドプレピットは、上記プリグルーブに連続しかつ上記基板の半径方向に弧状にこれを突出させて、その弧状内側における半径方向の内側突出長さをＲinとし、その弧状外側における半径方向の外側突出長さをＲoutとし、０．１２０μｍ≦Ｒin≦０．１８２μｍ、および、０．１００μｍ≦Ｒout≦０．２５０μｍ、とすることを特徴とする光情報記録媒体である。
【００５４】
上記Ｒin、および上記Ｒoutについて、０．１４０μｍ≦Ｒin≦０．１７３μｍ、および、０．１００μｍ≦Ｒout≦０．１９２μｍ、とすることができる。
【００５５】
上記Ｒin、および上記Ｒoutについて、Ｒin≦Ｒout、とすることができる。
【００５６】
上記Ｒin、および上記Ｒoutについて、０．１４０μｍ≦Ｒin≦０．１５６μｍ、および、０．１５６μｍ≦Ｒout≦０．１９２μｍ、とすることができる。
【００５７】
上記Ｒin、および上記Ｒoutについて、０．１２０μｍ≦Ｒin≦０．１３０μｍ、および、０．１８０μｍ≦Ｒout≦０．２４４μｍ、とすることができる。
【００５８】
上記記録光の波長をλとしたときに、上記プリグルーブにおける未記録状態の光学深さが、λ／８〜λ／５、であることができる。
【００５９】
上記光記録層は、上記記録光を吸収可能な光吸収物質を含むことができる。
【００６０】
本発明（第四の発明）による光情報記録媒体においては、ランドプレピットについて、その弧状内側における半径方向の内側突出長さＲin、およびその弧状外側における半径方向の外側突出長さＲoutについて、
０．１２０μｍ≦Ｒin≦０．１８２μｍ、および、
０．１００μｍ≦Ｒout≦０．２５０μｍ、
としたので、ランドプレピットと記録ピットとが隣接した場合、ないしは一部互いに重なり合う場合があっても、ランドプレピットの外側突出長さＲoutを規定するだけではなく、その内側突出長さＲinについてもこれを規定しているので、再生時のＲＦ変動量を１％程度まで安定させるとともに、ランドプレピット８のＡＲを１５％以上に維持し、ＲＦ信号およびランドプレピットについての読み取りエラーを回避し、高密度かつ高速のＤＶＤ−Ｒであっても必要なセクター情報などを安定して得ることができる。
【発明の効果】
【００６１】
以上のように本発明（第一の発明）によれば、記録光ないしは再生光であるレーザー光の円形スポット内にランドプレピットの内側端部および外側端部を位置させるようにしたので、レーザー光の回折を明確にしてランドプレピットの検出精度を向上させ、ランドプレピット信号およびＲＦ信号ともに誤差の少ないものとして読み取りエラーを回避し、光情報の高密度化および高速化に対応して、ランドプレピットの具体的な形状の設計を行うことができる。
【００６２】
また本発明（第二の発明）によれば、ランドプレピットの一対の内側端部の間の距離Ｌinおよび一対の外側端部の間の距離Ｌoutを３Ｔ〜６Ｔの範囲に限定したので、レーザー光による記録時あるいは再生時のわずかなずれに対しても、記録ピットへの影響を少なくして、ランドプレピット信号およびＲＦ信号ともに誤差の少ないものとして読み取りエラーを回避し、光情報の高密度化および高速化に対応して、ランドプレピットの具体的な形状の設計を行うことができる。
【００６３】
また本発明（第三の発明）によれば、距離Ｌin、Ｌoutについて、０．４０μｍ≦Ｌin≦０．８０μｍ、および０．４０μｍ≦Ｌout≦０．８０μｍ、という条件を設定することにより、レーザー光の回折を明確にしてランドプレピットの検出精度を向上させ、ランドプレピット信号およびＲＦ信号ともに誤差の少ないものとして読み取りエラーを回避し、光情報の高密度化および高速化に対応して、ランドプレピットの具体的な形状の設計を行うことができる。
【００６４】
また本発明（第四の発明）によれば、内側突出長さＲinおよび外側突出長さＲoutについて、０．１２０μｍ≦Ｒin≦０．１８２μｍ、および、０．１００μｍ≦Ｒout≦０．２５０μｍ、という条件をともに満足するように蛇行型のランドプレピットを設計するようにしたので、ＲＦ信号変動量を１％未満、ランドプレピット信号のＡＲを１５％以上に確保して読み取りエラーを回避し、光情報の高密度化および高速化に対応して、ランドプレピットの具体的な形状の設計を行うことができる。
【発明を実施するための最良の形態】
【００６５】
［実施例］
つぎに本発明（第一の発明）の第１の実施例による光情報記録媒体２０を図１ないし図３にもとづき説明する。ただし、以下の説明において、従来技術に関する図１５ないし図２４と同様の部分には同一符号を付し、その詳述はこれを省略する。
図１は、光情報記録媒体２０のとくに蛇行型のランドプレピット２１部分およびここに照射するレーザー光９の円形スポット９Ｓ部分を拡大して示す拡大平面図であって、とくにレーザー光９による円形スポット９Ｓのエネルギー正規分布も合わせて示している。
図１に示すように、ランドプレピット２１は、プリグルーブ６の一部を光情報記録媒体２０の半径方向外周側に弧状に突出してこれを形成している。
ランドプレピット２１は、図中左右一対の内側端部２２からほぼ三角形状に延びる内側突出部２３、および外側端部２４からほぼ三角形状に延びる外側突出部２５によりこれを画成し、光情報記録媒体２０の半径方向における外円周側にプリグルーブ６からランド７側にほぼ三角形状に突出する形状となっている。
内側突出部２３の内側最突出端部２６と、ふたつの内側端部２２との間でほぼ二等辺三角形を構成している。
外側突出部２５の外側最突出端部２７と、ふたつの外側端部２４との間でほぼ二等辺三角形を構成している。
もちろん、任意の曲線による形状をもとにして、これら内側突出部２３および外側突出部２５を設計することができる。
なお、光情報記録媒体２０のその他部分の構成は、図１５ないし図１８に示した光情報記録媒体１と同様である。
【００６６】
ランドプレピット２１の内側三角形状におけるふたつの内側端部２２の間の距離をＬinとする。
ランドプレピット２１の外側三角形状におけるふたつの外側端部２４の間の距離をＬoutとする。
ただし図２は、ランドプレピット２１部分の縦断面図であって、図示のように、基板２におけるランドプレピット２１の内壁部は、傾斜角度Ｇが４０〜８０度を有し、上記それぞれの距離Ｌin、Ｌoutは、ランドプレピット２１の深さＤの１／２の部分の幅（半値幅）上で定義されるものである。
【００６７】
本発明においては、このランドプレピット２１について、レーザー光９の波長をλとしたときに、プリグルーブ６における未記録状態の光学深さが、λ／８〜λ／５、さらに、プリグルーブ６のトラックピッチが、０．７０〜０．８５μｍ、という設計条件のもとで、ｅを自然対数の底（約２．７２）としたときに、レーザー光９による円形スポット９Ｓのエネルギー正規分布の１／ｅ2の部分におけるスポット径Ｅ２の範囲内に、当該ランドプレピット２１の内側突出部２３における内側端部２２および外側突出部２５における外側端部２４を位置させている。
換言すれば、ランドプレピット２１について、距離ＬinおよびＬoutを、レーザー光９による円形スポット９Ｓのエネルギー正規分布の１／ｅ2の部分という有効なエネルギー範囲におけるスポット径Ｅ２より小さくするものである。
【００６８】
さらに、ランドプレピット２１について、内側端部２２および外側端部２４とともに、内側突出部２３の内側最突出端部２６、および外側突出部２５の外側最突出端部２７を、レーザー光９による円形スポット９Ｓのエネルギー正規分布の１／ｅ2の部分におけるスポット径Ｅ２の範囲内に位置させることが望ましい。
【００６９】
より好ましくは、レーザー光９による円形スポット９Ｓのエネルギー正規分布の１／ｅの部分におけるスポット径Ｅ１の範囲内にランドプレピット２１の内側端部２２および外側端部２４、さらには内側最突出端部２６および外側最突出端部２７を位置させることが望ましい。
【００７０】
従来の蛇行型のランドプレピットが円形スポット９Ｓの範囲内に位置するのではなく、その一部が外部にはみ出ている構成であるのに対して、本発明におけるランドプレピット２１においては、その内側端部２２および外側端部２４を、レーザー光９による円形スポット９Ｓの中心位置に向かって収斂するように位置させるように構成している。
【００７１】
こうした構成のランドプレピット２１を有する光情報記録媒体２０においては、ランドプレピット２１の部分におけるレーザー光９の回折現象による強度差を明確にしてランドプレピット２１の検出精度を向上させ、ランドプレピット信号を得ることができるとともに、ＲＦ信号への影響を減少させ、その変動量を所定範囲内に抑えることができる。
【００７２】
図３は、ランドプレピット２１にレーザー光９（円形スポット９Ｓ）を照射した状態を描いた拡大平面図であって、レーザー光９の円形スポット９Ｓをランドプレピット２１に当ててランドプレピット２１信号を得る際に、レーザー光９のランドプレピット２１による回折が円形スポット９Ｓの上下の範囲（スポット上部範囲９Ａ、スポット下部範囲９Ｂ）において明確な差となってその検出精度を高め、ランドプレピット２１と記録ピット１０とが近接し合っても、ランドプレピット信号のＡＲを１５％以上に確保して読み取りエラーを回避するとともに、ＲＦ信号変動量を１％未満に抑えることができる。
【００７３】
さらに蛇行型のランドプレピット２１は、λ／８〜λ／５の範囲の未記録光学深さの相違にそれほど影響されることなく、レーザー光９の円形スポット９Ｓ内にランドプレピット２１が位置していれば、ＲＦ信号に大きな影響を与えることなく、この部分の成膜の状態次第で調整が可能であり、その最適化が可能である。
【００７４】
なお本発明において、レーザー光９の円形スポット９Ｓ内にランドプレピット２１が位置していれば、ランドプレピット２１の形状は任意である。
たとえば図４は、ランドプレピットの他の例（ランドプレピット３０）を示す拡大平面図であって、このランドプレピット３０は、光情報記録媒体２０の半径方向外方側に弧状に突出しているとともに、内側突出部２３の内側端部２２および内側最突出端部２６、ならびに外側突出部２５の外側端部２４およびの外側最突出端部２７が円形スポット９Ｓの範囲内に位置している。
【００７５】
図５は、ランドプレピットのさらに他の例（ランドプレピット３１）を示す拡大平面図であって、このランドプレピット３１では、光情報記録媒体２０の半径方向外方側に台形状に突出しているとともに、内側突出部２３の内側端部２２および内側最突出端部２６、ならびに外側突出部２５の外側端部２４およびの外側最突出端部２７が円形スポット９Ｓの範囲内に位置している。
【００７６】
つぎに本発明（第二の発明）の第２の実施例による光情報記録媒体４０を図６ないし図８にもとづき説明する。
図６は、光情報記録媒体４０のとくに蛇行型のランドプレピット２１部分およびここに照射するレーザー光９の円形スポット９Ｓ部分を拡大して示す拡大平面図である。
図６に示すように、光情報記録媒体４０においては、第一の発明の光情報記録媒体２０（図１）と同様に、ランドプレピット２１は、プリグルーブ６の一部を光情報記録媒体４０の半径方向外周側に弧状に突出してこれを形成している。
【００７７】
本発明（第二の発明）においては、このランドプレピット２１について、レーザー光９の波長をλとしたときに、プリグルーブ６における未記録状態の光学深さが、λ／８〜λ／５、さらに、プリグルーブ６のトラックピッチが、０．７０〜０．８５μｍ、という設計条件のもとで、当該距離ＬinおよびＬoutが、最短の３Ｔピットと同等の大きさからその倍（６Ｔ）までの長さを有するようにする。
【００７８】
さらに、距離Ｌin、Ｌoutは、３．３６Ｔ〜５．２２Ｔの範囲にあることが望ましい。
あるいは、距離Ｌinが、３Ｔ〜４Ｔ、より好ましくは、３．３６Ｔ〜３．７３Ｔの範囲にあることが望ましい。
あるいは、距離Ｌoutが、４Ｔ〜６Ｔ、より好ましくは、４．８５Ｔ〜５．２２Ｔの範囲にあることが望ましい。
【００７９】
こうした構成のランドプレピット２１を有する光情報記録媒体４０においては、ランドプレピット２１と記録ピット１０が重なり合った場合であっても、記録ピット１０の形状および大きさを必要なレベルに維持することによりＲＦ信号への影響を減少させ、その変動量を所定範囲内に抑えることができるとともに、ランドプレピット２１の検出精度を向上させ、ランドプレピット信号を得ることができる。
【００８０】
すなわち、図７は、従来の蛇行型のランドプレピット８の部分に記録ピット１０が重なり合った場合の拡大平面図、図８は、本発明の蛇行型のランドプレピット２１の部分に記録ピット１０が重なり合った場合の拡大平面図であって、とくにレーザー光９がディスクの半径方向中心側にわずかにずれた（デトラックした）状態を示している。
図７および図８に示すように、レーザー光９のトラッキングとしては、その中心９Ｃがプリグルーブ６の中心線６Ｃに沿って移動することが理想的ではあるが、実際にはとくに記録の高速化にともなってレーザー光９の中心９Ｃがプリグルーブ６の中心線６Ｃからずれて記録ピット１０が記録されることがある。
【００８１】
図７に示すように、ランドプレピット８が弧状の場合には、記録ピット１０の中央部分にまでランド７が食い込む結果、記録ピット１０としては正規の、すなわち設計通りの形状および大きさを得ることができず、再生時に適正なＲＦ信号を得ることができないため、読み取りエラーとなる可能性が高い。この傾向は、記録ピット１０が３Ｔピットなどより短いピットの場合に顕著に現れる。
【００８２】
一方図８に示すように、本発明におけるランドプレピット２１の場合には、距離Ｌin、Ｌoutが、３Ｔ〜６Ｔの範囲にあるので、図示の例では、とくに内側突出部２３の内側端部２２が従来の弧状のランドプレピット８の場合より互いに近づいて位置しているため、ランド７（内側突出部２３）が記録ピット１０の部分に食い込む面積が従来のものより小さく、記録ピット１０の形状および大きさの変化に及ぼす影響を少なくすることが可能である。
さらに、再生時においても、レーザー光９がデトラックしても読み取りエラーを生じにくいものである。
【００８３】
さらに蛇行型のランドプレピット２１は、λ／８〜λ／５の範囲の未記録光学深さの相違にそれほど影響されることなく、レーザー光９の円形スポット９Ｓ内にランドプレピット２１が位置していれば、ＲＦ信号に大きな影響を与えることなく、この部分の成膜の状態次第で調整が可能であり、その最適化が可能である。
【００８４】
つぎに本発明（第三の発明）の第３の実施例による光情報記録媒体５０を図９にもとづき説明する。
図９は、光情報記録媒体５０のとくに蛇行型のランドプレピット２１部分およびここに照射するレーザー光９の円形スポット９Ｓ部分を拡大して示す拡大平面図である。
図９に示すように、光情報記録媒体５０においては、第一の発明の光情報記録媒体２０（図１）および第二の発明の光情報記録媒体４０（図６）と同様に、ランドプレピット２１は、プリグルーブ６の一部を光情報記録媒体５０の半径方向外周側に弧状に突出してこれを形成している。
【００８５】
本発明（第三の発明）においては、このランドプレピット２１について、レーザー光９の波長をλとしたときに、プリグルーブ６における未記録状態の光学深さが、λ／８〜λ／５、さらに、プリグルーブ６のトラックピッチが、０．７０〜０．８５μｍ、という設計条件のもとで、
０．４０μｍ≦Ｌin≦０．８０μｍ、
０．４０μｍ≦Ｌout≦０．８０μｍ、としてある。
さらに、望ましくは、
０．４５μｍ≦Ｌin≦０．５０μｍ、
０．６５μｍ≦Ｌout≦０．７０μｍ、とすることが望ましい。
すなわち、レーザー光９による円形スポット９Ｓの範囲内に、当該ランドプレピット２１の内側突出部２３における内側端部２２および外側突出部２５における外側端部２４を位置させている。
換言すれば、ランドプレピット２１について、その距離ＬinおよびＬoutを限定することにより、レーザー光９による円形スポット９Ｓ内に位置させるものである。
【００８６】
従来の蛇行型のランドプレピットが円形スポット９Ｓの範囲内に位置するのではなく、その一部が外部にはみ出ている構成であるのに対して、本発明におけるランドプレピット２１においては、その内側端部２２および外側端部２４を、レーザー光９による円形スポット９Ｓの中心位置に向かって収斂するように位置させるように構成している。
【００８７】
こうした構成のランドプレピット２１を有する光情報記録媒体５０においては、ランドプレピット２１の部分におけるレーザー光９の回折現象による強度差を明確にしてランドプレピット２１の検出精度を向上させ、ランドプレピット信号を得ることができるとともに、ＲＦ信号への影響を減少させ、その変動量を所定範囲内に抑えることができる。
【００８８】
すなわち、ランドプレピット２１にレーザー光９（円形スポット９Ｓ）を照射して、レーザー光９の円形スポット９Ｓをランドプレピット２１に当ててランドプレピット２１信号を得る際に、外乱マージンを高めるとともに、その検出精度を高め、ランドプレピット２１と記録ピット１０とが近接し合っても、ランドプレピット信号のＡＲを１５％以上に確保して読み取りエラーを回避するとともに、ＲＦ信号変動量を１％未満に抑えることができる。
【００８９】
さらに蛇行型のランドプレピット２１は、λ／８〜λ／５の範囲の未記録光学深さの相違にそれほど影響されることなく、レーザー光９の円形スポット９Ｓ内にランドプレピット２１が位置していれば、ＲＦ信号に大きな影響を与えることなく、この部分の成膜の状態次第で調整が可能であり、その最適化が可能である。
【００９０】
つぎに本発明（第四の発明）の第４の実施例による光情報記録媒体６０を図１０ないし図１４にもとづき説明する。
図１０は、光情報記録媒体６０における蛇行型のランドプレピット８部分の拡大平面図である。ランドプレピット８は、図２０に示した従来と同様の円弧状ないし楕円状のものであって、プリグルーブ６の一部を光情報記録媒体６０の半径方向外周側に弧状に突出してこれを形成している。
すなわち、ランドプレピット８は、図中左右一対の内側弧状端部６１から弧状に延びる内側弧状部６２、および外側弧状端部６３から弧状に延びる外側弧状部６４によりこれを画成し、光情報記録媒体６０の半径方向における外円周側に円弧状に突出する形状となっている。
内側弧状部６２および外側弧状部６４はともに、楕円形状を基本とし、楕円の一部の曲線を選択して弧状にこれを形成している。もちろん、第一ないし第三の発明と同様に、三角形状、弧状、あるいは台形状など任意の形状あるいは任意の曲線による形状をもとにして、これら内側弧状部６２および外側弧状部６４を設計することができる。
なお、光情報記録媒体６０のその他部分の構成は、第一ないし第三の発明と同様に、図１５ないし図１８に示した光情報記録媒体１と同様である。
【００９１】
ランドプレピット８の弧状内側における半径方向の内側突出長さ（両側の内側弧状端部６１を結んだ補助線から内側弧状部６２の円弧の最突出部６５において内側弧状部６２に接する補助線までの距離）をＲinとする。
ランドプレピット８の弧状外側における半径方向の外側突出長さ（両側の外側弧状端部６３を結んだ補助線から外側弧状部６４の円弧の最突出部６６において外側弧状部６４に接する補助線までの距離）をＲoutとする。
ただし、基板２におけるランドプレピット８の内壁部は、図２に示したランドプレピット２１と同様に、傾斜角度Ｇが４０〜８０度を有しており、上記それぞれの補助線は、ランドプレピット８の深さＤの１／２の部分の幅（半値幅）上に引いたものである。
【００９２】
本発明（第四の発明）においては、このランドプレピット８について、レーザー光９の波長をλとしたときに、プリグルーブ６における未記録状態の光学深さが、λ／８〜λ／５、さらに、プリグルーブ６のトラックピッチが、０．７０〜０．８５μｍ、という設計条件のもとで、
０．１２０μｍ≦Ｒin≦０．１８２μｍ、および、
０．１００μｍ≦Ｒout≦０．２５０μｍ、とすることが望ましい。以下、説明する。
【００９３】
既述のように、蛇行型のランドプレピット８については、記録ピット１０のＲＦ読み取りエラーおよびランドプレピット８の読み取りエラーを同時に低減させるためは、ＲＦ信号変動量を少なくとも１％未満に抑えるとともに、ランドプレピット８の特性すなわちＡＲ（振幅低下率指標）を１５％以上確保する必要がある。
図１１は、ＲoutおよびＲinに対するＡＲの関係を示すグラフであって、図示のようにＡＲへの影響度としては、Ｒoutはあまり大きくなく、Ｒinの影響が支配的である。
図１１に示すように、Ｒin＝０．１２０μｍという数値は、ＡＲ＝１５％という数値を目標とした場合、ランドプレピット８についての最適設計条件の境界線上にある。
【００９４】
本発明（第四の発明）は、ＲinおよびＲoutについての設計値（蛇行形状設計値）、ならびに、ＲＦ信号変動量およびＡＲ（振幅低下率指標）などの電気信号実測値から、これらの間に規則性を見いだし、ＲinおよびＲoutを縦横軸としてグラフを描いた。
図１２は、Ｒoutを横軸とし、Ｒinを縦軸として、ＲＦ信号変動量の数値範囲およびＡＲが１５％以上の範囲を示したグラフである。ただし、ＡＲが１５％以上の範囲については、Ｒinの軸において矢印で示し、ＲＦ信号変動量については、それぞれの弧状境界線で画成される各領域に数値（％）で示した。
【００９５】
図１２に斜線で示すように、ＡＲが１５％以上で、ＲＦ信号変動量の絶対値が１％以下の範囲は、
０．１２０μｍ≦Ｒin≦０．１８２μｍ、および、
０．１００μｍ≦Ｒout≦０．２５０μｍ、である。
【００９６】
図１１および図１２からわかるように、Ｒin＝０．１２０μｍという設計数値は、ＡＲ＝１５％という数値を目標とした場合、ランドプレピット８についての最適設計条件の境界線上にあって、ランドプレピット８の仕様あるいは高速記録によって発生する外乱によりＡＲとして１５％を下回ることが懸念される。
そこで、設計のマージンを拡大し、ＡＲが１８％以上で、ＲＦ信号変動量が０．７％未満に規定した場合を図１３に示す。
図１３は、図１２と同様に、Ｒoutを横軸とし、Ｒinを縦軸として、ＲＦ信号変動量の数値範囲およびＡＲが１８％以上の範囲を示したグラフである。
【００９７】
図１３に斜線で示すように、ＡＲが１８％以上で、ＲＦ信号変動量の絶対値が０．７％未満の範囲は、
０．１４０μｍ≦Ｒin≦０．１７３μｍ、および、
０．１００μｍ≦Ｒout≦０．１９２μｍ、である。
【００９８】
図１３に示すＲinおよびＲoutの設計範囲のうち、内側突出長さＲinが外側突出長さＲoutより大きい（Ｒout＜Ｒin）という範囲は、光情報記録媒体６０ないしそのスタンパーの作成、さらには成形性を考慮した場合、その実現が困難で、現実的には、Ｒinが最大で０．１５６μｍ程度で、Ｒin≦Ｒoutであることが望ましい。
すなわち図１４は、図１３と同様に、Ｒoutを横軸とし、Ｒinを縦軸として、ＲＦ信号変動量の数値範囲およびＡＲが１８％以上の範囲を示したグラフである。
図１４に斜線で示すように、ＡＲが１８％以上で、ＲＦ信号変動量の絶対値が０．７％未満の範囲で、かつＲinが最大で０．１５６μｍ程度で、Ｒin≦Ｒoutである範囲は、
０．１４０μｍ≦Ｒin≦０．１５６μｍ、および、
０．１５６μｍ≦Ｒout≦０．１９２μｍ、である。
【００９９】
なお、レーザー光９の円形スポット９Ｓが、何らかの外乱により光情報記録媒体６０（ディスク）の中心方向にずれて記録ピット１０およびランドプレピット８から外れた（デトラックした）場合には、その外れた程度に応じてＲＦ信号およびランドプレピット信号が変動することが考えられ、このデトラックによる影響を極力低減するように考慮すると、
０．１２０μｍ≦Ｒin≦０．１３０μｍ、および、
０．１８０μｍ≦Ｒout≦０．２４４μｍ、
とすることが好ましい。
【０１００】
かくして、光情報記録媒体６０ないしそのスタンパーの作成、さらには成形性などの作り易さを考慮した上で、高速記録時の外乱発生によるマージン低下条件下においても、ランドプレピット８のＡＲ（振幅低下率指標）、および記録ピット１０のＲＦ信号変動量についての特性を十分に満足する最適設計が可能となる。
【図面の簡単な説明】
【０１０１】
【図１】本発明（第一の発明）の第１の実施例による光情報記録媒体２０のとくに蛇行型のランドプレピット２１部分およびここに照射するレーザー光９の円形スポット９Ｓ部分を拡大して示す拡大平面図である。
【図２】同、ランドプレピット２１部分の縦断面図である。
【図３】同、ランドプレピット２１にレーザー光９（円形スポット９Ｓ）を照射した状態を描いた拡大平面図である。
【図４】同、ランドプレピットの他の例（ランドプレピット３０）を示す拡大平面図である。
【図５】同、ランドプレピットのさらに他の例（ランドプレピット３１）を示す拡大平面図である。
【図６】本発明（第二の発明）の第２の実施例による光情報記録媒体４０のとくに蛇行型のランドプレピット２１部分およびここに照射するレーザー光９の円形スポット９Ｓ部分を拡大して示す拡大平面図である。
【図７】従来の蛇行型のランドプレピット８の部分に記録ピット１０が重なり合った場合の拡大平面図である。
【図８】本発明（第二の発明）の蛇行型のランドプレピット２１の部分に記録ピット１０が重なり合った場合の拡大平面図である。
【図９】本発明（第三の発明）の第３の実施例による光情報記録媒体５０のとくに蛇行型のランドプレピット２１部分およびここに照射するレーザー光９の円形スポット９Ｓ部分を拡大して示す拡大平面図である。
【図１０】本発明（第四の発明）の第４の実施例による光情報記録媒体６０における蛇行型のランドプレピット８部分の拡大平面図である。
【図１１】同、ＲoutおよびＲinに対するＡＲの関係を示すグラフである。
【図１２】同、Ｒoutを横軸とし、Ｒinを縦軸として、ＲＦ信号変動量の数値範囲およびＡＲが１５％以上の範囲を示したグラフである。
【図１３】同、Ｒoutを横軸とし、Ｒinを縦軸として、ＲＦ信号変動量の数値範囲およびＡＲが１８％以上の範囲を示したグラフである。
【図１４】同、Ｒoutを横軸とし、Ｒinを縦軸として、ＲＦ信号変動量の数値範囲およびＡＲが１８％以上の範囲を示したグラフである。
【図１５】従来の光情報記録媒体１の要部拡大平面図ならびにそのＲＦ信号およびランドプレピット信号のグラフである。
【図１６】図１５のＸＶＩ−ＸＶＩ線断面図である。
【図１７】図１５のＸＶＩＩ−ＸＶＩＩ線断面図である。
【図１８】図１５のＸＶＩＩＩ−ＸＶＩＩＩ線断面図である。
【図１９】同、円形型のランドプレピット８の平面図である。
【図２０】同、蛇行型のランドプレピット８の平面図である。
【図２１】同、円形型のランドプレピット８の場合のＲＦ信号の変動量に対するＲＦ読み取りエラーの関係を示すグラフである。
【図２２】同、蛇行型のランドプレピット８の場合のＲＦ信号の変動量に対するＲＦ読み取りエラーの関係を示すグラフである。
【図２３】同、未記録光学深さがλ／５．８程度の場合のＲＦ信号（３Ｔピットの信号）およびランドプレピット信号のグラフである。
【図２４】同、未記録光学深さがλ／６．２程度の場合のＲＦ信号（３Ｔピットの信号）およびランドプレピット信号のグラフである。
【図１】
2008305555.tif 000003
【図２】
2008305555.tif 000004
【図３】
2008305555.tif 000005
【図４】
2008305555.tif 000006
【図５】
2008305555.tif 000007
【図６】
2008305555.tif 000008
【図７】
2008305555.tif 000009
【図８】
2008305555.tif 000010
【図９】
2008305555.tif 000011
【図１０】
2008305555.tif 000012
【図１１】
2008305555.tif 000013
【図１２】
2008305555.tif 000014
【図１３】
2008305555.tif 000015
【図１４】
2008305555.tif 000016
【図１５】
2008305555.tif 000017
【図１６】
2008305555.tif 000018
【図１７】
2008305555.tif 000019
【図１８】
2008305555.tif 000020
【図１９】
2008305555.tif 000021
【図２０】
2008305555.tif 000022
【図２１】
2008305555.tif 000023
【図２２】
2008305555.tif 000024
【図２３】
2008305555.tif 000025
【図２４】
2008305555.tif 000026